(57)【要約】【課題】保持した物品に対して容易にアクセスすることができ、また什器の周囲に突出するのを抑え、板状体上のスペースを有効に確保する。【解決手段】物品保持部材２０では、取付ブラケット３０は、天板１２の上面１２ａに沿って配置される上部部材３１と、天板１２の下面１２ｂに沿って配置され、ホルダー部４０を支持する下部部材３２と、上部部材３１および下部部材３２の一端側で上部部材３１と下部部材３２とを連結し、天板１２の前端部１２ｆに配置される連結部材３３と、を備え、ホルダー部４０は、取付ブラケット３０が天板１２の前端部１２ｆに取り付けられた状態で、ホルダー部４０の少なくとも一部が、天板１２の下方において、天板１２の前端部１２ｆよりも天板１２の平面視内方に設けられている。【選択図】図２
2016120010.tif 000002
【特許請求の範囲】
【請求項１】
什器に設けられて物品を載置可能とされた板状体の端部に装着される物品保持部材であって、
前記板状体の端部に取り付けられる取付体と、
前記取付体から前記板状体の下方に吊下されて物品を保持するホルダー部と、を備え、
前記取付体は、
前記板状体の上面に沿って配置される上部部材と、
前記板状体の下面に沿って配置され、前記ホルダー部を支持する下部部材と、
前記上部部材と前記下部部材とを連結し、前記板状体の端部に配置される連結部材と、を備え、
前記ホルダー部が前記取付体を前記板状体の端部に取り付けられた状態で、前記ホルダー部の少なくとも一部が、前記板状体の下方において、前記板状体の端部よりも前記板状体の平面視内方に設けられていることを特徴とする物品保持部材。
【請求項２】
前記ホルダー部は、前記物品を前記板状体の前記下面に対して傾斜させて保持することを特徴とする請求項１に記載の物品保持部材。
【請求項３】
前記ホルダー部は、
前記下部部材から前記板状体の前記端部側に向かって斜め下方に延びる面内に配置された前部支持部と、
前記前部支持部から前記板状体の前記端部と反対側に向かって斜め下方に延びる面内に配置された下部支持部と、
前記下部支持部の下端部から前記板状体の前記端部と反対側に向かって斜め上方に延びる面内に配置された後部支持部と、を少なくとも備えることを特徴とする請求項２に記載の物品保持部材。
【請求項４】
前記前部支持部には、前記物品にアクセスするための第一開口部が形成されていることを特徴とする請求項３に記載の物品保持部材。
【請求項５】
前記ホルダー部は、前記下部支持部に対向する側に、前記板状体の前記端部と反対側に向かって斜め上方に開口し、前記ホルダー部内に前記物品を出し入れする第二開口部が形成されていることを特徴とする請求項３または４に記載の物品保持部材。
【請求項６】
前記取付体は、前記板状体に吸着することによって前記取付体を前記板状体に固定する吸着固定部をさらに備えることを特徴とする請求項１から５のいずれか一項に記載の物品保持部材。
【請求項７】
前記ホルダー部は、前記取付体を前記板状体の端部に装着した状態で、前記ホルダー部から前記取付体に作用するモーメントが、前記下部部材を前記板状体の前記下面に押圧する方向となるよう設けられていることを特徴とする請求項６に記載の物品保持部材。
【請求項８】
請求項１から７のいずれか一項に記載の物品保持部材と、
前記物品保持部材の前記取付体が端部に装着される板状体を有する什器と、
を備えることを特徴とする什器システム。
【請求項９】
前記板状体の前記端部の下側に、前記板状体の中央に向かって斜め下方に傾斜した傾斜面が形成されていることを特徴とする請求項８に記載の什器システム。
【発明の詳細な説明】
【技術分野】
【０００１】
本発明は、什器の板状体の端部に装着される物品保持部材、什器システムに関する。
【背景技術】
【０００２】
オフィスや公共施設、研究施設等において、各種の物品や機器を載置したり、作業を行うため、平板状の天板を備えた什器が使用されている。
このような什器において、天板上で作業を行うに際し、例えば、作業に直接的に使用しない物品を天板上に載置しておくと、天板上の作業空間が狭められてしまう。また、例えば天板上で薬品等の液体を用いた実験を行う場合、周囲の物品への液体の付着を避けたい場合がある。そこで、作業に直接的に使用しない物品等は、天板の上方に設けた収納棚や、天板の下方に設けた引き出し等に収納することが行われている。
【０００３】
ところで、例えば、天板上で実験を行う場合、実験器具や天板上を拭く等の目的で、ペーパーウエスを用いることがある。このペーパーウエスのように、作業に直接的に使用せずとも、必要に応じて補助的に用いる物品は、収納棚や引き出し等に収納すると、取り出しに手間がかかり不便である。
【０００４】
そこで、例えば、天板の外周部や、天板を支持する支持脚の側面に、補助的に用いる物品を保持する保持部材を設けることが行われている。
また、特許文献１には、棚板の下面に、前方に向かって斜め下方に延びる補助棚板を設ける構成が開示されている。このような補助棚板上に物品を載せれば、必要に応じて容易に物品にアクセスすることができる。
【先行技術文献】
【特許文献】
【０００５】
【特許文献１】特開２００７−１３０３６１号公報
【発明の概要】
【発明が解決しようとする課題】
【０００６】
しかしながら、天板等の板状体の外周部や、板状体を支持する支持脚の側面に保持部材を設けると、保持部材が什器の外周部に突出することになる。すると、什器の周囲を作業者等が移動するときに、保持部材および物品に干渉してしまうことがある。
また、棚板の下面に補助棚板を設ける構成では、天板等の板状体の上面のスペースは確保できるものの、板状体の上方のスペースの一部が損なわれる。さらに、このような構成は、板状体上に収納棚を設けない限り、補助棚板を設けること自体が不可能であり、当然、ユーザの要望等により、収納棚を設けないこともある。
そこでなされた本発明の目的は、保持した物品に対して容易にアクセスすることができ、また什器の周囲に突出するのを抑え、板状体上のスペースを有効に確保することができる物品保持部材、什器システムを提供することである。
【課題を解決するための手段】
【０００７】
本発明は、上記課題を解決するため、以下の手段を採用する。
この発明に係る物品保持部材は、什器に設けられて物品を載置可能とされた板状体の端部に装着される物品保持部材であって、前記板状体の端部に取り付けられる取付体と、前記取付体から前記板状体の下方に吊下されて物品を保持するホルダー部と、を備え、前記取付体は、前記板状体の上面に沿って配置される上部部材と、前記板状体の下面に沿って配置され、前記ホルダー部を支持する下部部材と、前記上部部材と前記下部部材とを連結し、前記板状体の端部に配置される連結部材と、を備え、前記ホルダー部が前記取付体を前記板状体の端部に取り付けられた状態で、前記ホルダー部の少なくとも一部が、前記板状体の下方において、前記板状体の端部よりも前記板状体の平面視内方に設けられていることを特徴とする。
【０００８】
このように、板状体の端部に取付体によって取り付けた物品保持部材において、ホルダー部の少なくとも一部を、板状体の下方において、板状体の端部よりも内方に設けることで、ホルダー部およびホルダー部に保持された物品が板状体の外周側に突出するのを抑えることができる。ここで、ホルダー部は、その全体を板状体の端部よりも内方に設けるのが好ましい。これにより、ホルダー部全体が板状体の外周側に突出しないとともに、ホルダー部に保持された物品が板状体の外周側に突出するのを一層抑えることができる。
また、板状体の端部に物品保持部材を取り付けることで、ホルダー部に保持された物品に対し、板状体の下方に手を伸ばせば容易にアクセスすることができる。
また、取付体は、上部部材が板状体上面に沿い、下部部材が板状体下面に沿うので、板状体を上下から挟み込むようにして装着され、ガタ付きを抑えることができる。また、上部部材と下部部材の間に板状体を挿入すれば良いので、物品保持部材の装着を容易に行うことができる。
【０００９】
また、この発明に係る物品保持部材は、上記物品保持部材において、前記ホルダー部が、前記物品を前記板状体の前記下面に対して傾斜させて保持するようにしてもよい。
このように構成することで、物品が板状体の端部側に傾斜しているので、物品へのアクセス性、物品の視認性が高まる。
【００１０】
この発明に係る物品保持部材は、上記物品保持部材において、前記ホルダー部が、前記下部部材から前記板状体の前記端部側に向かって斜め下方に延びる面内に配置された前部支持部と、前記前部支持部から前記板状体の前記端部と反対側に向かって斜め下方に延びる面内に配置された下部支持部と、前記下部支持部の下端部から前記板状体の前記端部と反対側に向かって斜め上方に延びる面内に配置された後部支持部と、を少なくとも備えるようにしてもよい。
このように構成することで、前部支持部と下部支持部と後部支持部とで物品を取り囲むようにして保持することができる。
【００１１】
この発明に係る物品保持部材は、上記物品保持部材において、前記前部支持部には、前記物品にアクセスするための第一開口部が形成されているようにしてもよい。
前部支持部は、下部部材から板状体の端部側に向かって斜め下方に延びているので、この前部支持部に形成した第一開口部は、板状体の外周側に向けて斜め上方を向く。これにより、板状体の外周側から物品に容易にアクセスすることができる。
【００１２】
この発明に係る物品保持部材は、上記物品保持部材において、前記ホルダー部が、前記下部支持部に対向する側に、前記板状体の前記端部と反対側に向かって斜め上方に開口し、前記ホルダー部内に前記物品を出し入れする第二開口部が形成されているようにしてもよい。
このように構成することで、第二開口部を通して、ホルダー部内に物品を出し入れすることができる。第二開口部は、ホルダー部において下部支持部に対向する側、つまり、板状体の内方側に向かって斜め上方に開口しているので、物品保持部材を板状体の端部に装着した状態では、第二開口部に容易にアクセスすることができない。したがって、物品が第二開口部から不用意に脱落するのを防ぐことができる。
【００１３】
この発明に係る物品保持部材は、上記物品保持部材において、前記取付体は、前記板状体に吸着することによって前記取付体を前記板状体に固定する吸着固定部をさらに備えるようにしてもよい。
このように構成すれば吸着固定部が板状体に吸着するので、取付体の板状体への固定を確実にできる。また、ホルダー部の自重やホルダー部で支持する物品の荷重等によって、取付体が板状体から外れることを抑制することができる。
【００１４】
この発明に係る物品保持部材は、上記物品保持部材において、前記ホルダー部が、前記取付体を前記板状体の端部に装着された状態で、前記ホルダー部から前記取付体に作用するモーメントが、前記下部部材を前記板状体の前記下面に押圧する方向となるよう設けられているようにしてもよい。
このように、下部部材を板状体の下面に押しつけることで、吸着固定部をより強固に板状体に吸着させることができ、板状体の端部に対して取付体を確実に固定することが可能となる。
【００１５】
この発明に係る什器システムは、上記したような物品保持部材と、前記物品保持部材の前記取付体が端部に装着される板状体を有する什器と、を備えることを特徴とする。
上記したような物品保持部材を什器の板状体に装着することによって、ホルダー部およびホルダー部に保持された物品が板状体の外周側に突出するのを抑えるとともに、保持した物品に対して容易にアクセスすることができ、板状体上のスペースを有効に確保することが可能となる。
【００１６】
この発明に係る什器システムは、上記什器システムにおいて、前記板状体の前記端部の下側に、前記板状体の中央に向かって斜め下方に傾斜した傾斜面が形成されているようにしてもよい。
このように、板状体の端部の下側に傾斜面が形成されることで、板状体の下方に配置したホルダー部へのアクセス性、視認性がさらに高まる。
【発明の効果】
【００１７】
この発明に係る物品保持部材、什器システムによれば、ホルダー部の少なくとも一部を、板状体の下方において、板状体の端部よりも内方に設けることで、保持した物品に対して容易にアクセスすることができ、また什器の周囲に突出するのを抑え、板状体上のスペースを有効に確保することが可能となる。
【図面の簡単な説明】
【００１８】
【図１】この発明の一実施形態に係る什器システムを構成する什器の一例を示す斜視図である。
【図２】上記什器システムを構成する什器の天板の端部に物品保持部材を装着した状態を示す側断面図である。
【図３】上記物品保持部材の斜視図である。
【図４】上記物品保持部材に物品を収容した状態を示す斜視図である。
【図５】上記物品保持部材の変形例の構成を示す斜視図である。
【図６】上記物品保持部材の他の変形例の構成を示す斜視図である。
【発明を実施するための形態】
【００１９】
以下、添付図面を参照して、本発明による物品保持部材、什器システムを実施するための形態を説明する。しかし、本発明はこれらの実施形態のみに限定されるものではない。
【００２０】
図１は、この発明の一実施形態に係る什器システムを構成する什器の一例を示す斜視図である。図１では、什器に装着された物品支持部材を省略している。図２は、上記什器システムを構成する什器の天板の端部に物品保持部材を装着した状態を示す側断面図である。図３は、上記物品保持部材の斜視図である。図４は、上記物品保持部材に物品を収容した状態を示す斜視図である。
図１に示すように、什器システムを構成する実験台（什器）１０は、床面上に設置される支持部１１と、支持部１１上に支持される平面視長方形状の天板（板状体）１２と、収納棚１３と、を備えている。
【００２１】
支持部１１は、天板１２の長辺方向両端部に配置された一対の端部支持脚１１Ａ，１１Ａと、端部支持脚１１Ａ，１１Ａの中間に設けられた中間支持脚１１Ｂと、を備えている。これらの端部支持脚１１Ａ，１１Ａおよび中間支持脚１１Ｂは、それぞれ、天板１２の短辺方向に延びる板状をなしている。
なお、以下の説明において、天板１２の長辺方向を「幅方向」、実験台１０を使用する使用者が天板１２に対向する側を「前方」、その反対側を「後方」と称することがある。
【００２２】
収納棚１３は、天板１２の後端部１２ｒに設けられている。収納棚１３は、天板１２の幅方向両端部と中間部とにそれぞれ設けられた支柱１４と、互いに隣接する支柱１４の間に上下に複数段に架設された棚板１５と、互いに隣接する支柱１４どうしを連結する補強部材１６と、を備えている。
【００２３】
このような実験台１０においては、天板１２上を、実験等の作業スペースＳとして利用することができる。また、実験台１０は、収納棚１３の各棚板１５上に、各種の機器や物品等を載置することができる。
【００２４】
図２に示すように、天板１２の前端部（端部）１２ｆでは、天板１２の上面１２ａと下面１２ｂとが平行に形成されている。天板１２の上面１２ａの前端縁１２ｃには、下方に向けて垂下する垂直端面１２ｄが連続して形成され、さらに垂直端面１２ｄの下端部に連続して、下方かつ後方に向かって傾斜し、下面１２ｂに連続する傾斜面１２ｅが形成されている。
この天板１２は、スチール系材料等の磁性体からなり、その表面に樹脂系材料等によるコーティングがなされている。これにより、天板１２は、その全面が磁性を有している。
【００２５】
このような什器システムにおいては、実験台１０の天板１２の前端部１２ｆに、物品保持部材２０が装着可能とされている。
図２、図３に示すように、物品保持部材２０は、天板１２の前端部１２ｆに着脱自在とされた取付ブラケット（取付体）３０と、取付ブラケット３０と一体に設けられたホルダー部４０と、を備えている。
【００２６】
取付ブラケット３０は、プレート状の上部部材３１と、プレート状で上部部材３１と平行に配置された下部部材３２と、上部部材３１の一端側および下部部材３２の一端側で、これら上部部材３１と下部部材３２とを連結する連結部材３３と、吸着固定部３５と、を一体に備えている。
【００２７】
この取付ブラケット３０は、天板１２の前端部１２ｆに装着された状態で、上部部材３１は天板１２の上面１２ａに沿うように配置される。また、下部部材３２は、天板１２の下面１２ｂに沿うように配置される。また、連結部材３３は、天板１２の垂直端面１２ｄおよび傾斜面１２ｅに沿うように配置される。すなわち、連結部材３３は、取付ブラケット３０が天板１２の前端部１２ｆに装着された状態で、天板１２の垂直端面１２ｄに沿う垂下面部３３ａと、傾斜面１２ｅに沿う傾斜面部３３ｂと、を有している。
ここで、上部部材３１は、前後方向の長さＬ１が、下部部材３２の前後方向の長さＬ２よりも小さく設定されている。
【００２８】
吸着固定部３５は、下部部材３２の上面３２ａに設けられている。吸着固定部３５は、磁気により吸着力を発揮するマグネット部３５ｍからなる。これにより、吸着固定部３５は、磁性を有する天板１２の下面１２ｂに吸着固定される。
【００２９】
このような取付ブラケット３０は、上部部材３１と下部部材３２とによって、天板１２を上下から挟み込み、さらに吸着固定部３５によって天板１２の下面１２ｂに吸着固定されるようになっている。
【００３０】
ホルダー部４０は、取付ブラケット３０が天板１２の前端部１２ｆに装着された状態で、取付ブラケット３０から天板１２の下方に吊下される。
このホルダー部４０は、下部部材３２から前方に向かって斜め下方に延びる面内に形成された前部支持部４１と、前部支持部４１の下端部４１ｄから後方に向かって斜め下方に延びる面内に形成された下部支持部４２と、下部支持部４２の後端部４２ｂから後方に向かって斜め上方に延びる面内に形成され、前部支持部４１と対向配置された後部支持部４３と、前部支持部４１の幅方向両端部から斜め後方に延び、前部支持部４１と後部支持部４３とを連結する側部支持部４４と、を備えている。
【００３１】
ここで、ホルダー部４０は、ワイヤ鋼棒により形成されている。具体的には、ホルダー部４０は、第一ワイヤ材４６と、第二ワイヤ材４７と、第三ワイヤ材４８と、から形成されている。
【００３２】
第一ワイヤ材４６は、下部部材３２の後端部３２ｂに接合され、下部部材３２から幅方向両側に向かって延びる第一ワイヤ部Ｗ１１と、第一ワイヤ部Ｗ１１の幅方向両端からそれぞれ前方に向かって斜め下方に延びる第二ワイヤ部Ｗ１２と、それぞれの第二ワイヤ部Ｗ１２の前端から直交して後方に向かって斜め下方に延びる第三ワイヤ部Ｗ１３と、幅方向両側の第三ワイヤ部Ｗ１３，Ｗ１３の後端どうしを連結する第四ワイヤ部Ｗ１４と、を備えている。
【００３３】
第二ワイヤ材４７は、第一ワイヤ部Ｗ１１の幅方向両端に接合され、後方に向かって斜め下方に延びる第五ワイヤ部Ｗ１５と、それぞれの第五ワイヤ部Ｗ１５，Ｗ１５の後端どうしを連結する第六ワイヤ部Ｗ１６と、を備えている。
【００３４】
第三ワイヤ材４８は、第四ワイヤ部Ｗ１４および第六ワイヤ部Ｗ１６に中間部が接合された一対の第七ワイヤ部Ｗ１７，Ｗ１７を備えている。各第七ワイヤ部Ｗ１７は、第四ワイヤ部Ｗ１４および第六ワイヤ部Ｗ１６の上側に接合されている。これら一対の第七ワイヤ部Ｗ１７，Ｗ１７は、幅方向に間隔をあけて設けられている。各第七ワイヤ部Ｗ１７は、前方に向かって斜め下方に向かって延びるよう設けられている。そして、第七ワイヤ部Ｗ１７，Ｗ１７の上端どうしは、第八ワイヤ部Ｗ１８により連結されている。また、それぞれの第七ワイヤ部Ｗ１７の下端から、前方に向かって斜め上方に向かって延びる第九ワイヤ部Ｗ１９が設けられている。そして、それぞれの第九ワイヤ部Ｗ１９の上端から後方に向かって斜め上方に延びる第十ワイヤ部Ｗ２０が設けられ、第十ワイヤ部Ｗ２０，Ｗ２０の上端どうしが第十一ワイヤ部Ｗ２１により連結されている。これら第七ワイヤ部Ｗ１７，第八ワイヤ部Ｗ１８，第九ワイヤ部Ｗ１９，第十ワイヤ部Ｗ２０，第十一ワイヤ部Ｗ２１により、第三ワイヤ材４８が構成されている。
【００３５】
そして、前部支持部４１は、第一ワイヤ部Ｗ１１と、第十ワイヤ部Ｗ２０と、第十一ワイヤ部Ｗ２１と、から構成されている。
下部支持部４２は、一対の第九ワイヤ部Ｗ１９，Ｗ１９とから形成されている。
後部支持部４３は、第四ワイヤ部Ｗ１４と、第六ワイヤ部Ｗ１６と、一対の第七ワイヤ部Ｗ１７，Ｗ１７とから形成されている。
側部支持部４４は、第二ワイヤ部Ｗ１２と、第三ワイヤ部Ｗ１３と、第五ワイヤ部Ｗ１５とから構成されている。
【００３６】
このようなホルダー部４０は、取付ブラケット３０が天板１２の前端部１２ｆに装着された状態で、天板１２の前端縁１２ｃと同一鉛直面内または前端縁１２ｃよりも後方に位置するよう設けられている。これにより、ホルダー部４０は、天板１２の下方において、天板１２の前端部１２ｆよりも天板１２の平面視内方、つまり天板１２の前端部１２ｆよりも後端部１２ｒ側に設けられている。
【００３７】
また、ホルダー部４０は、取付ブラケット３０が天板１２の前端部１２ｆに装着された状態で、ホルダー部４０から取付ブラケット３０に作用するモーメントが、下部部材３２を天板１２の下面１２ｂに押圧する方向となるよう設けられているのが好ましい。これには、下部部材３２への接合部である前部支持部４１の第一ワイヤ部Ｗ１１に対し、ホルダー部４０の重心が前方に位置するように、ホルダー部４０を設計する。
【００３８】
図４に示すように、この実施形態では、ホルダー部４０は、ペーパーウエスを複数枚収容した箱状の外箱（物品）１００を収容して保持する。外箱１００は、上面１００ｔの中央部に、ペーパーウエスを取り出すための取り出し口１０１が開口して形成されている。
図２、図４に示すように、ホルダー部４０は、前部支持部４１を構成する第一ワイヤ部Ｗ１１、第十ワイヤ部Ｗ２０、第十一ワイヤ部Ｗ２１が外箱１００の上面１００ｔに沿い、下部支持部４２を構成する第九ワイヤ部Ｗ１９，Ｗ１９が外箱１００の側面１００ｓに沿い、後部支持部４３を構成する第四ワイヤ部Ｗ１４、第六ワイヤ部Ｗ１６、一対の第七ワイヤ部Ｗ１７が外箱１００の底面１００ｂに沿った状態で、外箱１００を支持する。この状態で、ホルダー部４０の前部支持部４１では、第一ワイヤ部Ｗ１１と第十一ワイヤ部Ｗ２１との間に第一開口部４５が形成され、外箱１００の取り出し口１０１が第一開口部４５に露出する。これにより、取り出し口１０１から外箱１００内のペーパーウエスを取り出すことができる。このとき、取り出し口１０１からペーパーウエスを取り出すことによって、外箱１００がペーパーウエスとともに持ち上げられそうになっても、外箱１００の上面１００ｔは、前部支持部４１を構成する第一ワイヤ部Ｗ１１、第十ワイヤ部Ｗ２０、第十一ワイヤ部Ｗ２１が突き当たるので、外箱１００の移動が規制され、不用意な脱落が防止される。
【００３９】
また、第一ワイヤ部Ｗ１１と、第五ワイヤ部Ｗ１５，１５と、第六ワイヤ部Ｗ１６とに囲まれて形成された第二開口部４９は、外箱１００が挿抜可能とされている。これにより、ホルダー部４０に対して、第二開口部４９を通して外箱１００を出し入れできるようになっている。ホルダー部４０に対する外箱１００の出し入れは、物品保持部材２０を天板１２の前端部１２ｆから取り外した状態で行う。
そして、物品保持部材２０を天板１２の前端部１２ｆに装着した状態では、天板１２の下方に位置する第二開口部４９から外箱１００を抜き出そうとしても、天板１２の下方からでは第二開口部４９にアクセスしにくい。また、第二開口部４９から外箱１００を抜き出す方向への外箱１００の移動が天板１２の下面１２ｂによって規制される。
【００４０】
上述したような構成によれば、天板１２の前端部１２ｆに取付ブラケット３０によって取り付けた物品保持部材２０において、ホルダー部４０を、天板１２の下方において、天板１２の前端部１２ｆよりも平面視内方、つまり天板１２の前端部１２ｆよりも後端部１２ｒ側に設けるようにした。これにより、ペーパーウエスの外箱１００を天板１２上に置かずにホルダー部４０に収容することができるため、天板１２上のスペースを有効に確保することが可能となる。また、ホルダー部４０やホルダー部４０で保持したペーパーウエスの外箱１００が実験台１０の周囲に突出するのを抑えることができる。
また、天板１２の前端部１２ｆに物品保持部材２０を取り付けることで、ホルダー部４０に保持されたペーパーウエスの外箱１００に対し、天板１２の下方に手を伸ばせば容易にアクセスすることができる。
また、取付ブラケット３０は、上部部材３１が天板１２の上面１２ａに沿い、下部部材３２が天板１２の下面１２ｂに沿うので、天板１２を上下から挟み込むようにして装着され、ガタ付きを抑えることができる。また、上部部材３１と下部部材３２の間に天板１２を挿入すれば良いので、物品保持部材２０の装着を容易に行うことができる。
【００４１】
また、通常では、外箱１００は、底面１００ｂを水平に形成された設置面に載置して使用される。一方、本実施形態では、ホルダー部４０は、外箱１００の底面１００ｂを天板１２の下面１２ｂに対して傾斜させて保持する。このように構成することで、ペーパーウエスの外箱１００へのアクセス性がさらに高まる。
【００４２】
また、ホルダー部４０は、下部部材３２から天板１２の前端部１２ｆ側に向かって斜め下方に延びる前部支持部４１と、前部支持部４１から天板１２の内方側に向かって斜め下方に延びる下部支持部４２と、下部支持部４２の後端部４２ｂから天板１２の内方側に向かって斜め上方に延びる後部支持部４３と、を少なくとも備える。
このように構成することで、前部支持部４１と下部支持部４２と後部支持部４３とでペーパーウエスの外箱１００を取り囲むようにして保持することができる。
【００４３】
さらに、ホルダー部４０は、前部支持部４１に、ペーパーウエスの外箱１００にアクセスするための第一開口部４５が形成されている。前部支持部４１は、下部部材３２から天板１２の前端部１２ｆ側に向かって斜め下方に延びているので、第一開口部４５は、天板１２の前側に向けて斜め上方を向いて開口している。これにより、例えば、天板１２の前側で作業をしている作業者が、ペーパーウエスを取り出そうと天板１２の下方に向かって斜め後方に手を伸ばすと、第一開口部４５が作業者の手の向きと直交する向きに開口している。よって、作業者は、前部支持部４１の第一開口部４５を通して、天板１２の前側からペーパーウエスの外箱１００に容易にアクセスすることができる。
【００４４】
また、ホルダー部４０は、下部支持部４２に対向する側に、天板１２の後側に向かって斜め上方に開口し、ホルダー部４０内にペーパーウエスの外箱１００を出し入れする第二開口部４９が形成されている。このように構成することで、第二開口部４９を通して、ホルダー部４０内にペーパーウエスの外箱１００を出し入れすることができる。第二開口部４９は、ホルダー部４０において下部支持部４２に対向する側、つまり、天板１２の後側に向かって斜め上方に開口しているので、物品保持部材２０を天板１２の前端部１２ｆに装着した状態では、天板１２の下方に位置する第二開口部４９に容易にアクセスすることができない。したがって、ペーパーウエスの外箱１００が第二開口部４９から不用意に脱落するのを防ぐことができる。
【００４５】
取付ブラケット３０は、天板１２に吸着することによって取付ブラケット３０を天板１２に固定する吸着固定部３５をさらに備える。このように構成することで、吸着固定部３５が天板１２に吸着するので、取付ブラケット３０の天板１２への固定を確実にできる。また、ホルダー部４０の自重やホルダー部４０で支持するペーパーウエスの外箱１００の荷重等によって、取付ブラケット３０が天板１２から外れることを抑制することができる。
【００４６】
ホルダー部４０は、取付ブラケット３０が天板１２の前端部１２ｆに装着された状態で、ホルダー部４０から取付ブラケット３０に作用するモーメントが、下部部材３２を天板１２の下面１２ｂに押圧する方向となるよう設けられている。
このようにして下部部材３２を天板１２の下面１２ｂに押しつけることで、吸着固定部３５をより強固に天板１２に吸着させることができ、天板１２の前端部１２ｆに対して取付ブラケット３０を確実に固定することが可能となる。
【００４７】
また、実験台システムは、上記したような物品保持部材２０を実験台１０の天板１２に装着することによって、ホルダー部４０およびホルダー部４０に保持された外箱１００が天板１２の外周側に突出するのを抑えるとともに、保持したペーパーウエスの外箱１００に対して容易にアクセスすることができ、天板１２上のスペースを有効に確保することが可能となる。
【００４８】
さらに、天板１２の前端部１２ｆの下側に、天板１２の中央に向かって斜め下方に傾斜した傾斜面１２ｅが形成されている。このように、天板１２の前端部１２ｆの下側に傾斜面１２ｅが形成されることで、第一開口部４５の前方かつ上方の空間部を大きく確保することができるため、天板１２の前側で作業をしている作業者の天板１２の下方に配置したホルダー部４０へのアクセス性がさらに高まる。
【００４９】
（その他の実施形態）
なお、本発明は、図面を参照して説明した上述の実施形態に限定されるものではなく、その技術的範囲において様々な変形例が考えられる。
例えば、上記実施形態では、ホルダー部４０をワイヤ鋼棒により形成したが、そのワイヤの組み方（レイアウト）は、上記に例示したものに限らない。ホルダー部４０の前部支持部４１、下部支持部４２、後部支持部４３、側部支持部４４としての所要の機能を発揮できるのであれば、いかなるワイヤの組み方でホルダー部４０を形成してもよい。
【００５０】
ホルダー部４０の各部寸法は、収納するペーパーウエスの外箱１００の大きさに合わせて適宜設定すれば良い。
図５は、上記物品保持部材の変形例の構成を示す斜視図である。この図５に示すように、上記実施形態よりも幅寸法の小さい外箱１００を収納するよう、前部支持部４１、下部支持部４２、後部支持部４３の幅寸法を短く設定することができる。
【００５１】
また、上記実施形態では、ホルダー部４０をワイヤ鋼棒により形成したが、ホルダー部４０をプレート材で形成することも可能である。
図６は、上記物品保持部材の他の変形例の構成を示す斜視図である。この図６に示すように、ホルダー部４０が、前部支持部４１を形成する前部プレート部５１と、下部支持部４２を形成する下部プレート部５２と、後部支持部４３を形成する後部プレート部５３と、側部支持部４４を形成する側部プレート部５４とを備えている。さらに、前部プレート部５１に第一開口部４５を形成し、下部プレート部５２と対向する側には、第二開口部４９を形成すればよい。この場合、前部プレート部５１、下部プレート部５２、後部プレート部５３、側部プレート部５４は、取り出し口１０１（図４参照）からペーパーウエスを取り出すことのできる大きさの第一開口部４５と、ホルダー部４０に外箱１００（図４参照）を出し入れできる大きさの第二開口部４９とを少なくとも形成すればよい。すなわち、第一開口部４５と第二開口部４９を除いて、外箱１００の全体を覆うように、前部プレート部５１、下部プレート部５２、後部プレート部５３、側部プレート部５４を形成してもよい。
【００５２】
また、上記実施形態では、ホルダー部４０でペーパーウエスの外箱１００を保持するようにしたが、これ以外の物品を保持するようにしてもよい。
【００５３】
また、上記実施形態では、天板１２は、その全面が磁性を有するものとしたが、これに限らない。天板１２は、少なくともマグネット部３５ｍが対向する部分が磁性体により形成されていればよい。したがって、例えば、天板１２の下面１２ｂのみに磁性を配したり、天板１２の下面１２ｂにおいて物品保持部材２０を取り付ける部位のみに磁性体を配したり、上部部材３１の下面や連結部材３３の後面にマグネット部３５ｍを設けても良い。
【００５４】
また、上記実施形態では、取付ブラケット３０の構成について説明したが、物品保持部材２０を天板１２の前端部１２ｆに装着できるのであれば、いかなる構成としても良い。
さらに、吸着固定部３５は、マグネット部３５ｍに限らず、吸盤状のパッドにより天板１２の下面１２ｂに吸着固定される等、適宜他の構成を採用可能である。
【００５５】
また、上記実施形態では、物品保持部材２０の装着対象となる実験台１０の構成について説明したが、実験台１０の構成については、その構成を何ら限定するものではない。
さらに、上記実施形態では、物品支持部材２０は、天板１２に装着するようにしたが、天板１２以外にも、棚板１５等、物品を載置できる板状体に装着することもできる。
これ以外にも、本発明の主旨を逸脱しない限り、上記実施の形態で挙げた構成を取捨選択したり、他の構成に適宜変更したりすることが可能である。
【符号の説明】
【００５６】
１０  実験台（什器）
１２  天板（板状体）
１２ａ  上面
１２ｂ  下面
１２ｃ  前端縁
１２ｆ  前端部（端部）
２０  物品保持部材
３０  取付ブラケット（取付体）
３１  上部部材
３２  下部部材
３３  連結部材
３３ａ  垂下面部
３３ｂ  傾斜面部
３５  吸着固定部
３５ｍ  マグネット部
４０  ホルダー部
４１  前部支持部
４２  下部支持部
４３  後部支持部
４４  側部支持部
４５  第一開口部
４９  第二開口部
１００  外箱（物品）
【図１】
2016120010.tif 000003
【図２】
2016120010.tif 000004
【図３】
2016120010.tif 000005
【図４】
2016120010.tif 000006
【図５】
2016120010.tif 000007
【図６】
2016120010.tif 000008